(57)【要約】【課題】ムーブメントの位置に対して光源の配置、導光部の配置及び文字盤上の目盛の配置の自由度が制限されることなく、コンビネーションメーターの意匠上の自由度に制限を与えることがないコンビネーションメーター装置を提供する。【解決手段】コンビネーションメーター装置に指針１５を駆動するムーブメント１１が設けられ、ムーブメント１１に指針１５が設けられ、指針１５が指し示す文字盤１４上の目盛１４ｂを裏面側から照光するＬＥＤ１７が設けられ、ＬＥＤ１７から放射された光を文字盤１４に導く文字盤用導光部１９が設けられ、文字盤１４を表面側から見て、指針１５が回転した際に掃引く仮想円Ｃより外側にＬＥＤ１７が配置される。【選択図】図６
2007232570.tif 000002
【特許請求の範囲】
【請求項１】
基板と、
該基板に対して間隔をあけて設けられた文字盤と、
前記基盤に設けられたムーブメントの一部を構成し、且つ、前記基板側から前記文字盤を貫通して、該文字盤の表面に突出された回転軸と、
該回転軸の突出された端部に設けられて、前記文字盤に形成された略円弧状の目盛に沿う方向に回転されて該目盛を指し示す指針と、
前記基板の表側に、且つ、前記文字盤を表面側から見て、前記指針が回転した際に掃引く仮想円より外側に配設された光源と、
前記基板と前記文字盤との間に設けられた反射部により構成され、且つ、前記光源から放射された光を前記文字盤の裏面側から前記目盛に向けて導光する導光空間と、
から構成されることを特徴とするメーター装置。
【発明の詳細な説明】
【技術分野】
【０００１】
メーター装置に用いられる導光部材に関する
【背景技術】
【０００２】
従来から図１に示すようなコンビネーションメーター装置（メーター装置）が知られている。
【０００３】
図１はコンビネーションメーター装置の要部を表した破断分解斜視図であり、図２は図１のＡ−Ａ線における断面図である。
【０００４】
図１において、１はムーブメントであり、２は配線基板、３は導光部材を兼ねたロアーハウジング、４は透光性を有する文字盤、５は指針である。
【０００５】
ムーブメント１は回転軸１ａと位置決めピン１ｂと係合爪１ｃ，１ｄと電極１ｅとを有している。
【０００６】
配線基板２には、回転軸１ａ用の穴２ａと，位置決めピン１ｂ用の穴２ｂと，係合爪１ｃ，１ｄ用の穴２ｃ，２ｄと，電極１ｅ用の穴２ｅとが設けられている。
【０００７】
ムーブメント１は配線基板２の裏面側に装着されており、回転軸１ａ，位置決めピン１ｂ，係合爪１ｃ，１ｄ，電極１ｅは、それぞれ穴２ａ，２ｂ，２ｃ，２ｄ，２ｅに貫通している。
【０００８】
係合爪１ｃ，１ｄの先端部は配線基板２の表面に係合しており、電極１ｅは配線基板２の表面側でハンダ付け処理がなされている。
【０００９】
また、配線基板２の表面には指針照明用のＬＥＤ６と文字盤照明用のＬＥＤ７とが装着されている。
【００１０】
配線基板２の表側にはロアーハウジング３が設けられており、ロアーハウジング３には指針用導光部８と文字盤用導光部９とが一体に形成されている。
【００１１】
指針用導光部８は略円筒形状を呈しており、ロアーハウジング３の表面には指針用導光部８の内部に連通する穴３ａが設けられている。
【００１２】
また、ＬＥＤ６は配線基板２上で指針用導光部８の周壁によって囲われている。
【００１３】
ロアーハウジング３の表側には文字盤４が装着されており、文字盤４には穴３ａに対向して穴４ａが設けられている。
【００１４】
指針用導光部８の内部と穴３ａと穴４ａとにはムーブメント１の回転軸１ａが貫通しており、回転軸１ａの先端には指針５が装着されている。
【００１５】
また、ＬＥＤ６から放射された光は指針用導光部８の内部の空間を介して指針５に導光される。
【００１６】
指針５は透光性の導光針部５ａを有しており、ＬＥＤ６が点灯すると導光針部５ａが発光するようになっている。
【００１７】
文字盤４には、穴４ａの近傍に燃料残量計の目盛４ｂが設けられている。
【００１８】
目盛４ｂは略円弧形状を呈しており、導光針部５ａが指し示すようになっている。
【００１９】
文字盤用導光部９は扇状反射壁９ａと平面状の包囲壁９ｂと円錐突出部９ｃとによって構成されており、扇状反射壁９ａの表面は円錐面の一部の形状を呈し、円錐突出部９ｃは全体として略円錐側面形状を呈している。
【００２０】
扇状反射壁９ａと包囲壁９ｂと円錐突出部９ｃとによって、ＬＥＤ７から放射された光を導光する導光空間１０が形成されている。
【００２１】
文字盤用導光部９の配線基板２側の端縁には扇状穴３ｂが設けられ、扇状穴３ｂにはＬＥＤ７が挿通している。
【００２２】
円錐突出部９ｃは指針用導光部８の側部から突設形成され、表側からＬＥＤ７を覆っている。
【００２３】
図２に示すように、ＬＥＤ７は配線基板２の表面上で指針用導光部８の外周側近傍に位置し、したがってムーブメント１の近傍に、且つ、円錐突出部９ｃの裏側付近に位置している。
【００２４】
図２に矢線で示すように、ＬＥＤ７が点灯すると、ＬＥＤ７から放射された光は、扇状反射壁９ａと包囲壁９ｂと円錐突出部９ｃの裏面とで反射され、導光空間１０を通って目盛４ｂの裏面側に導光される。
【００２５】
このようにムーブメント１の近傍に配置されたＬＥＤ７から光が放射され、放射された光が文字盤用導光部９によってムーブメント１から遠ざかる向きに導光され、文字盤４の裏面側を照光して燃料残量計の目盛４ｂを透過照明する。
【００２６】
この他に、メーター装置に用いられる導光部材に関する発明としては、輝度ムラを抑制する拡散板を用いた車両用計器が特許文献１に開示されている。
【特許文献１】特許第３５６７８７５号公報
【発明の開示】
【発明が解決しようとする課題】
【００２７】
ところで、図１に示すように、指針５はムーブメント１の回転軸１ａに装着されて、回転軸１ａを軸にして回転するので、指針５が指し示す目盛４ｂは回転軸１ａを中心とする円弧状に印刷されている。
【００２８】
従来のコンビネーションメーター装置では、円弧状の目盛４ｂを透過照明するために、扇状反射壁９ａが回転軸１ａを中心として広がる略円錐面形状を呈しており、ＬＥＤ７がムーブメント１の近傍に配置されていた。
【００２９】
しかしながら、従来のコンビネーションメーター装置では、ムーブメント１が有する位置決めピン１ｂと係合爪１ｃ，１ｄと電極１ｅとが配線基板２の表面上に突出している。
【００３０】
このため、ムーブメント１の回転軸１ａ近傍にＬＥＤ７を装着する際に、配置の自由度が制限されてしまう。
【００３１】
ここで、図３は従来例のコンビネーションメーター装置におけるＬＥＤ７等の配置の自由度を説明する配線基板２の正面図である。
【００３２】
ムーブメント１の近傍では、角度領域Ｄ１，Ｄ２に係合爪１ｃと電極１ｅとが配線基板２の表面上に突出しており、角度領域Ｄ３に位置決めピン１ｂと係合爪１ｄとが突出していて、これらの角度領域Ｄ１〜Ｄ３にＬＥＤ７を配置することはできない。
【００３３】
このため、ＬＥＤ７の配置が制限を受け、文字盤用導光部９の配置が制限を受け、文字盤用導光部９の配置によって照光方向が決まるので、目盛４ｂの配置が制限され、コンビネーションメーターの意匠上の自由度に制限を与えるという問題があった。
【００３４】
そこで本発明では、ムーブメントの位置に対して光源の配置、導光部の配置及び文字盤上の目盛の配置の自由度が制限されることなく、コンビネーションメーターの意匠上の自由度に制限を与えることがないコンビネーションメーター装置を提供することを目的にしている。
【課題を解決するための手段】
【００３５】
上記目的を達成するために請求項１に記載された発明は、基板と、
該基板に対して間隔をあけて設けられた文字盤と、
前記基盤に設けられたムーブメントの一部を構成し、且つ、前記基板側から前記文字盤を貫通して、該文字盤の表面に突出された回転軸と、
該回転軸の突出された端部に設けられて、前記文字盤に形成された略円弧状の目盛に沿う方向に回転されて該目盛を指し示す指針と、
前記基板の表側に、且つ、前記文字盤を表面側から見て、前記指針が回転した際に掃引く仮想円より外側に配設された光源と、
前記基板と前記文字盤との間に設けられた反射部により構成され、且つ、前記光源から放射された光を前記文字盤の裏面側から前記目盛に向けて導光する導光空間と、
から構成されるメーター装置を特徴としている。
【発明の効果】
【００３６】
このように構成された本発明の請求項１のものは、仮想円より外側に光源が配設されているので、光源とムーブメントとが干渉することがなく、ムーブメントの位置に対して光源の配置の自由度が制限されることがない。
【００３７】
このため、導光部の配置の自由度や文字盤上の目盛の配置の自由度が制限されることがなく、メーター装置の意匠上の自由度を大きくすることができる。
【発明を実施するための最良の形態】
【００３８】
以下、本発明に係る実施の形態の実施例を図面に基づいて説明する。
【実施例】
【００３９】
〈構成〉
図４はコンビネーションメーター装置（メーター装置）の要部を表した破断分解斜視図であり、図５は図４のＢ−Ｂ線における断面図である。
【００４０】
図４において、１１はムーブメントであり、１２は配線基板、１３は導光部材を兼ねたロアーハウジング、１４は透光性を有する文字盤、１５は指針である。
【００４１】
ムーブメント１１は回転軸１１ａと位置決めピン１１ｂと係合爪１１ｃ，１１ｄと電極１１ｅとを有している。
【００４２】
配線基板１２には、回転軸１１ａ用の穴１２ａと，位置決めピン１１ｂ用の穴１２ｂと，係合爪１１ｃ，１１ｄ用の穴１２ｃ，１２ｄと，電極１１ｅ用の穴１２ｅとが設けられている。
【００４３】
ムーブメント１１は配線基板１２の裏面側に装着されており、回転軸１１ａ，位置決めピン１１ｂ，係合爪１１ｃ，１１ｄ，電極１１ｅは、それぞれ穴１２ａ，１２ｂ，１２ｃ，１２ｄ，１２ｅに貫通している。
【００４４】
係合爪１１ｃ，１１ｄの先端部は配線基板１２の表面に係合しており、電極１１ｅは配線基板１２の表面側でハンダ付け処理がなされている。
【００４５】
また、配線基板１２の表面には指針照明用のＬＥＤ１６と文字盤照明用のＬＥＤ１７とが装着されている。
【００４６】
配線基板１２の表側にはロアーハウジング１３が設けられており、ロアーハウジング１３には指針用導光部１８と文字盤用導光部１９とが一体に形成されている。
【００４７】
指針用導光部１８は略円筒形状を呈しており、ロアーハウジング１３の表面には指針用導光部１８の内部に連通する穴１３ａが設けられている。
【００４８】
また、ＬＥＤ１６は配線基板１２上で指針用導光部１８の周壁によって囲われている。
【００４９】
ロアーハウジング１３の表側には文字盤１４が装着されており、文字盤１４には穴１３ａに対向して穴１４ａが設けられている。
【００５０】
指針用導光部１８の内部と穴１３ａと穴１４ａとにはムーブメント１１の回転軸１１ａが貫通しており、回転軸１１ａの先端には指針１５が装着されている。
【００５１】
また、ＬＥＤ１６から放射された光は指針用導光部１８の内部の空間を介して指針１５に導光される。
【００５２】
指針１５は透光性の導光針部１５ａを有しており、ＬＥＤ１６が点灯すると導光針部１５ａが発光するようになっている。
【００５３】
文字盤１４には、穴１４ａの近傍に燃料残量計の目盛１４ｂが設けられている。
【００５４】
目盛１４ｂは略円弧形状を呈しており、導光針部１５ａが指し示すようになっている。
【００５５】
文字盤用導光部１９は扇状反射壁１９ａと平面状の包囲壁１９ｂと円錐突出部１９ｃとによって構成されており、扇状反射壁１９ａの表面は円錐面の一部の形状を呈し、円錐突出部１９ｃは全体として略円錐側面形状を呈している。
【００５６】
扇状反射壁１９ａと包囲壁１９ｂと円錐突出部１９ｃとによって、ＬＥＤ１７から放射された光を導光する導光空間２０が形成されている。
【００５７】
文字盤用導光部１９の配線基板１２側の端縁には扇状穴１３ｂが設けられ、扇状穴１３ｂにはＬＥＤ１７が挿通している。
【００５８】
円錐突出部１９ｃは指針用導光部１８の側部から突設形成され、表側からＬＥＤ１７を覆っている。
〈光の導光について〉
図５に示すように、ＬＥＤ１７は配線基板１２の表面上に、導光針部１５ａの先端より回転軸１１ａの外側に位置し、且つ、円錐突出部１９ｃの裏側付近に位置している。
【００５９】
図５に矢線で示すように、ＬＥＤ１７が点灯すると、ＬＥＤ１７から放射された光は、扇状反射壁１９ａと包囲壁１９ｂと円錐突出部１９ｃの裏面とで反射され、導光空間２０を通って目盛１４ｂの裏面側に導光される。
【００６０】
このように配線基板１２の表面上で導光針部１５ａの先端より回転軸１１ａの外側に配置されたＬＥＤ１７から光が放射され、放射された光が文字盤用導光部１９によってムーブメント１１の向きに導光され、文字盤１４の裏面側を照光して燃料残量計の目盛１４ｂを透過照明する。
〈文字盤用導光部の配置の自由度について〉
図６は、ＬＥＤの配置の自由度を説明する正面図であり、主に配線基板に装着されたムーブメントと文字盤用導光部とを表した図である。
【００６１】
図６において、Ｃは指針１５が回転した際に導光針部１５ａの先端部が掃引く仮想円を表している。
【００６２】
図６に示すように、本発明のコンビネーションメーター装置では、ＬＥＤ１７を仮想円Ｃの外側に配置するので、ＬＥＤ１７がムーブメント１１が有する位置決めピン１１ｂと係合爪１１ｃ，１１ｄと電極１１ｅとに干渉することなく配置できる。
【００６３】
このため、例えば、車室側から見て、ムーブメント１１に対して右側にＬＥＤ１７Ａを配置して、このＬＥＤ１７Ａからムーブメント１１側に向けて光を導光するように文字盤用導光部１９Ａを配置し、文字盤１４上で光が照光される位置に目盛１４ｂＡを配置することができる。
【００６４】
或いは、車室側から見て、ムーブメント１１に対して上側にＬＥＤ１７Ｂと文字盤用導光部１９Ｂと目盛１４ｂＢとを配置することも、ムーブメント１１に対して下側にＬＥＤ１７Ｃと文字盤用導光部１９Ｃと目盛１４ｂＣとを配置することも可能である。
【００６５】
更に、ＬＥＤ１７を仮想円Ｃの外側に、ムーブメント１１の周囲３６０°の方向の内、任意の方向に配置することができ、ＬＥＤ１７とムーブメント１１との間に文字盤用導光部１９を配置し、文字盤１４上で光が照光される位置に目盛１４ｂを配置することができる。
〈作用効果〉
このように構成された本実施例のコンビネーションメーター装置は、仮想円Ｃより外側にＬＥＤ１７が配設されているので、ＬＥＤ１７とムーブメント１１とが干渉することがなく、ムーブメント１１の位置に対してＬＥＤ１７の配置の自由度が制限されることがない。
【００６６】
このため、文字盤用導光部１９の配置の自由度や文字盤１４上の目盛１４ｂの配置の自由度が制限されることがなく、コンビネーションメーター装置の意匠上の自由度を大きくすることができる。
〈本実施例のコンビネーションメーター装置の使用例〉
図７は、本実施例の文字盤用導光部を使用したコンビネーションメーター装置の一例を表す部分正面図である。
【００６７】
また、図７（ａ）は主にムーブメントと文字盤用導光部との配置を表す図であり、図７（ｂ）はコンビネーションメーター装置の文字盤を車室側から見た際の外観を表す図である。
【００６８】
図７において、Ｔは水温計、Ｆは燃料残量計である。
【００６９】
本使用例では、車室側から文字盤１４を見た際に、水温計Ｔと燃料残量計Ｆが上下に近接して配置されており、水温計Ｔ用のムーブメント１１Ｔと燃料残量計Ｆ用のムーブメント１１Ｆとが、それぞれの回転軸１１ａＴと１１ａＦとが近接した状態で配置されている。
【００７０】
このように、水温計Ｔの指針１５Ｔの回転軸１１ａＴと燃料残量計Ｆの指針１５Ｆの回転軸１１ａＦとを接近させたレイアウトは従来のコンビネーションメーター装置では不可能であったが、本発明のコンビネーションメーター装置では可能である。
【００７１】
以上、図面を参照して、本発明に係る実施の形態の実施例を詳述してきたが、具体的な構成は、この実施の形態に限らず、本発明の要旨を逸脱しない程度の設計的変更は、本発明に含まれるものである。
【００７２】
なお、本発明の実施例では、表面が円錐面の一部の形状を呈した扇状反射壁１９ａと、全体として略円錐面形状を呈した円錐突出部１９ｃ等とで文字盤用導光部１９が構成されていたが、導光部の形状は、必ずしも、これらの形状に限られるものではない。
【００７３】
例えば、回転放物面形状であってもよいし、平面形状であってもよい。
【図面の簡単な説明】
【００７４】
【図１】従来例のコンビネーションメーター装置の要部を説明するコンビネーションメーターの破断分解斜視図である。
【図２】従来例のコンビネーションメーター装置の要部を説明する断面図であり、図１のＡ−Ａ線で切断した断面図である。
【図３】従来例のコンビネーションメーター装置におけるＬＥＤの配置の自由度を説明する正面図であり、主に配線基板に装着されたムーブメントと文字盤用導光部とを表した図である。
【図４】本実施例のコンビネーションメーター装置の要部を説明するコンビネーションメーターの破断分解斜視図である。
【図５】本実施例のコンビネーションメーター装置の要部を説明する断面図であり、図４のＢ−Ｂ線で切断した断面図である。
【図６】本実施例のコンビネーションメーター装置におけるＬＥＤの配置の自由度を説明する正面図であり、主に配線基板に装着されたムーブメントと文字盤用導光部とを表した図である。
【図７】本実施例の文字盤用導光部を使用したコンビネーションメーター装置の一例を表す部分正面図である。また、図７（ａ）は主にムーブメントと文字盤用導光部との配置を表す図であり、図７（ｂ）はコンビネーションメーター装置の文字盤を車室側から見た際の外観を表す図である。
【符号の説明】
【００７５】
１１，１１Ｔ，１１Ｆ            ムーブメント
１１ａ，１１ａＴ，１１ａＦ      回転軸
１２                            配線基盤（基板）
１４                            文字盤
１４ｂ，１４ｂＡ〜１４ｂＣ      目盛
１５                            指針
１７，１７Ａ〜１７Ｃ            ＬＥＤ（光源）
１９，１９Ａ〜１９Ｃ            文字盤用導光部（反射部）
２０                            導光空間
Ｃ                              仮想円
【図１】
2007232570.tif 000003
【図２】
2007232570.tif 000004
【図３】
2007232570.tif 000005
【図４】
2007232570.tif 000006
【図５】
2007232570.tif 000007
【図６】
2007232570.tif 000008
【図７】
2007232570.tif 000009